(57)【要約】      （修正有）【課題】受信する情報量を増加させ、迅速かつ確実に緊急情報を伝え、かつ製造コストを抑えることができる受信機を提供する。【解決手段】防災情報伝達システムに用いられる受信機であって、ワンセグ無線信号を受信する無線部６と、前記信号を復調して情報信号を生成する信号処理部７と、情報信号を画像として表示する表示部８と、情報信号を音声として出力する音声出力部９と、各部を制御する制御部１９とを備え、無線部６が、少なくとも１つのチャンネルのワンセグ無線信号を受信し、信号処理部７が、少なくとも１つのチャンネルのワンセグ無線信号に基づく情報信号を生成し、無線部６が、予め設定された１つのチャンネルのワンセグ無線信号を常に受信し、信号処理部７が、前記無線信号に基づく情報信号を常に生成し、情報信号に含まれる設定信号に基づいて制御部１９の制御が行われる。【選択図】図２
0003181364.tif 000002
【実用新案登録請求の範囲】
【請求項１】
ワンセグ無線信号を使用する防災情報伝達システムにて用いられる受信機であって、
ワンセグ無線信号を受信する無線部と、
前記無線部にて受信したワンセグ無線信号を復調することによって情報信号を生成する信号処理部と、
前記信号処理部にて生成した情報信号を画像として表示する表示部と、
前記信号処理部にて生成した情報信号を音声として出力する音声出力部と、
前記無線部、前記信号処理部、前記表示部、及び前記音声出力部を制御可能とする制御部と
を備え、
前記無線部が、少なくとも１つのチャンネルのワンセグ無線信号を受信する機能を有し、
前記信号処理部が、少なくとも１つのチャンネルのワンセグ無線信号を復調することによって情報信号を生成する機能を有し、
前記無線部が、予め設定された１つのチャンネルのワンセグ無線信号を常に受信するように構成され、
前記信号処理部が、前記予め設定された１つのチャンネルのワンセグ無線信号を復調することによって情報信号を常に生成するように構成され、
前記信号処理部にて生成した情報信号に含まれる設定信号に基づいて、前記制御部が、前記無線部、前記信号処理部、前記表示部、及び前記音声出力部を制御するように構成されており、
前記設定信号に基づいて、前記制御部が、前記予め設定された１つのチャンネルのワンセグ無線信号を異なる１つのチャンネルのワンセグ無線信号に変更するように制御する構成となっている、受信機。
【請求項２】
前記設定信号に基づいて、前記制御部が、前記無線部及び前記信号処理部にて前記予め設定された１つのチャンネルの無線信号をそれぞれ常に受信かつ復調する状態を解除した場合に、前記無線部にて受信され、かつ前記信号処理部にて復調されるワンセグ無線信号のチャンネルを、使用者の操作によって変更可能とする入力部をさらに備えている、請求項１に記載の受信機。
【請求項３】
前記無線部及び前記信号処理部が、前記予め設定された１つのチャンネルのワンセグ無線信号と同時に、別のチャンネルのワンセグ無線信号をそれぞれ受信かつ復調するように構成され、
前記設定信号に基づいて、前記制御部は、前記別のチャンネルのワンセグ無線信号に関する情報信号が前記表示部に画像として表示され、かつ前記音声出力部に音声として出力されている状態から、前記予め設定された１つのチャンネルのワンセグ無線信号に関する情報信号が前記表示部に画像として表示され、かつ前記音声出力部に音声として出力されている状態に変更するように制御可能に構成されている、請求項１に記載の受信機。
【請求項４】
電力を供給可能とする外部電源に接続可能であるインターフェース部と、
内部に蓄電された電力を供給可能とする内部電源部と
をさらに備え、
前記外部電源又は前記内部電源部から電力が常に供給されるように構成され、
前記外部電源からの電力供給が停止した場合、前記内部電源部から電力が供給されるように構成されている、請求項１に記載の受信機。
【請求項５】
電力を供給可能とする外部電源に接続可能であるインターフェース部と、
内部に蓄電された電力を供給可能とする内部電源部と
をさらに備え、
前記外部電源又は前記内部電源部から電力が常に供給されるように構成され、
前記外部電源から供給される電力によって、前記内部電源部が充電できるように構成されている、請求項１に記載の受信機。
【考案の詳細な説明】
【技術分野】
【０００１】
本考案は、防災情報伝達システムにて用いられる受信機に関する。
【背景技術】
【０００２】
地方自治体では、災害発生時等の緊急時に無線により発信される音声情報、文字情報等の緊急情報を住民に伝えるための防災情報伝達システムが用いられている。この防災情報伝達システムでは、音声情報が、地方自治体の管轄区域内における所定のエリア毎に設置された拡声装置、及び家庭毎に設置された戸別受信機等の受信機によって住民に伝えられるようになっている。また、防災情報伝達システムでは、文字情報が、戸別受信機等の受信機によって住民に伝えられるようになっている場合もある。
【０００３】
このような防災情報伝達システムに用いられる受信機については、地方自治体毎に異なる周波数帯域のチャンネルの無線信号を受信可能とすることが要求されており、例えば、特許文献１に開示される受信機では、複数のチャンネルの無線信号から受信機の使用地域にて受信可能なチャンネルの無線信号が選択されて、この受信可能なチャンネルの無線信号を用いて緊急情報が伝えられるようになっている。
【０００４】
また、防災情報伝達システムに用いられる無線については、各地方自治体にて使用可能な１つのチャンネルに割り当てられる周波数帯域が、非常に狭くなっているので、音声情報、文字情報等の緊急情報の情報量が限られたものとなっている。そこで、情報量を増加させて、図形情報、静止画情報等を伝えるべく、特許文献２では、受信機にＰＨＳ電話の通話機能、ネットワーク接続機能、及び画像表示機能が設けられており、このような受信機に、公衆送信網を用いて文字情報、図形情報、静止画情報等を含む緊急情報が伝えられる。
【先行技術文献】
【特許文献】
【０００５】
【特許文献１】特開２０１１−１１４８１０号公報
【特許文献２】特開２００４−１２６９３０号公報
【考案の概要】
【考案が解決しようとする課題】
【０００６】
しかしながら、特許文献１の受信機では、複数のチャンネルの無線信号から受信機の使用地域にて受信可能なチャンネルの無線信号を選択することに時間が掛かるため、緊急時に、受信可能なチャンネルの無線信号を用いて地方自治体から発信される緊急情報を迅速かつ確実に伝える上で問題がある。
【０００７】
また、特許文献２の受信機については、公衆送信網が通信事業者等により管理されているため、地方自治体が防災情報伝達システムのための通信網を構築することが難しく、その結果、防災情報伝達システムを構築するコストが高くなり、ひいては、受信機の製造コストが高くなるという問題がある。
【０００８】
本考案はこのような実状に鑑みてなされたものであって、その目的は、受信する情報量を増加でき、迅速かつ確実に緊急情報を伝えることができ、かつ製造コストを抑えることができる受信機を提供することにある。
【課題を解決するための手段】
【０００９】
課題を解決するために、本考案の一態様に係る受信機は、
ワンセグ無線信号を使用する防災情報伝達システムにて用いられる受信機であって、
ワンセグ無線信号を受信する無線部と、
前記無線部にて受信したワンセグ無線信号を復調することによって情報信号を生成する信号処理部と、
前記信号処理部にて生成した情報信号を画像として表示する表示部と、
前記信号処理部にて生成した情報信号を音声として出力する音声出力部と、
前記無線部、前記信号処理部、前記表示部、及び前記音声出力部を制御可能とする制御部と
を備え、
前記無線部が、少なくとも１つのチャンネルのワンセグ無線信号を受信する機能を有し、
前記信号処理部が、少なくとも１つのチャンネルのワンセグ無線信号を復調することによって情報信号を生成する機能を有し、
前記無線部が、予め設定された１つのチャンネルのワンセグ無線信号を常に受信するように構成され、
前記信号処理部が、前記予め設定された１つのチャンネルのワンセグ無線信号を復調することによって情報信号を常に生成するように構成され、
前記信号処理部にて生成した情報信号に含まれる設定信号に基づいて、前記制御部が、前記無線部、前記信号処理部、前記表示部、及び前記音声出力部を制御するように構成されており、
前記設定信号に基づいて、前記制御部が、前記予め設定された１つのチャンネルのワンセグ無線信号を異なる１つのチャンネルのワンセグ無線信号に変更するように制御可能な構成となっている。
【００１０】
本考案の一態様に係る受信機は、
前記設定信号に基づいて、前記制御部が、前記無線部及び前記信号処理部にて前記予め設定された１つのチャンネルの無線信号をそれぞれ常に受信かつ復調する状態を解除した場合に、前記無線部にて受信され、かつ前記信号処理部にて復調されるワンセグ無線信号のチャンネルを、使用者の操作によって変更可能とする入力部をさらに備えている。
【００１１】
本考案の一態様に係る受信機では、
前記無線部及び前記信号処理部が、前記予め設定された１つのチャンネルのワンセグ無線信号と同時に、別のチャンネルのワンセグ無線信号をそれぞれ受信かつ復調するように構成され、
前記設定信号に基づいて、前記制御部は、前記別のチャンネルのワンセグ無線信号に関する情報信号が前記表示部に画像として表示され、かつ前記音声出力部に音声として出力されている状態から、前記予め設定された１つのチャンネルのワンセグ無線信号に関する情報信号が前記表示部に画像として表示され、かつ前記音声出力部に音声として出力されている状態に変更するように制御可能に構成されている。
【００１２】
本考案の一態様に係る受信機では、
電力を供給可能とする外部電源に接続可能であるインターフェース部と、
内部に蓄電された電力を供給可能とする内部電源部と
をさらに備え、
前記外部電源又は前記内部電源部から電力が常に供給されるように構成され、
前記外部電源からの電力供給が停止した場合、前記内部電源部から電力が供給されるように構成されている。
【００１３】
本考案の一態様に係る受信機では、
電力を供給可能とする外部電源に接続可能であるインターフェース部と、
内部に蓄電された電力を供給可能とする内部電源部と
をさらに備え、
前記外部電源又は前記内部電源部から電力が常に供給されるように構成され、
前記外部電源から供給される電力によって、前記内部電源部が充電できるように構成されている。
【考案の効果】
【００１４】
本考案によれば、以下の効果を得ることができる。本考案の一態様に係る受信機は、
ワンセグ無線信号を使用する防災情報伝達システムにて用いられる受信機であって、
ワンセグ無線信号を受信する無線部と、
前記無線部にて受信したワンセグ無線信号を復調することによって情報信号を生成する信号処理部と、
前記信号処理部にて生成した情報信号を画像として表示する表示部と、
前記信号処理部にて生成した情報信号を音声として出力する音声出力部と、
前記無線部、前記信号処理部、前記表示部、及び前記音声出力部を制御可能とする制御部と
を備え、
前記無線部が、少なくとも１つのチャンネルのワンセグ無線信号を受信する機能を有し、
前記信号処理部が、少なくとも１つのチャンネルのワンセグ無線信号を復調することによって情報信号を生成する機能を有し、
前記無線部が、予め設定された１つのチャンネルのワンセグ無線信号を常に受信するように構成され、
前記信号処理部が、前記予め設定された１つのチャンネルのワンセグ無線信号を復調することによって情報信号を常に生成するように構成され、
前記信号処理部にて生成した情報信号に含まれる設定信号に基づいて、前記制御部が、前記無線部、前記信号処理部、前記表示部、及び前記音声出力部を制御するように構成されており、
前記設定信号に基づいて、前記制御部が、前記予め設定された１つのチャンネルのワンセグ無線信号を異なる１つのチャンネルのワンセグ無線信号に変更するように制御可能な構成となっている。
そのため、テレビ放送等に用いられるＵＨＦ（Ｕｌｔｒａ  Ｈｉｇｈ  Ｆｒｅｑｕｅｎｃｙ）帯のワンセグ無線信号によって、音声、文字、図形、及び静止画に加えて動画を伝えることができて、受信機に伝えられる緊急情報の情報量を増加させることができる。また、予め設定された１つのチャンネルのワンセグ無線信号を常に受信するように設定されているので、受信機にて受信するチャンネルを選択する必要がなく、災害発生時等の緊急時に、緊急情報を迅速かつ確実に使用者に伝えることができる。さらに、ワンセグ無線信号を受信するために、ワンセグテレビ受像機等で用いられる安価なハードウェア及びソフトウェアを用いればよいので、受信機の製造コストを抑えることができる。また、前記設定信号に基づいて、前記制御部が、前記予め設定された１つのチャンネルのワンセグ無線信号を異なる１つのチャンネルのワンセグ無線信号に変更するように制御可能な構成となっているので、例えば、地方自治体等の送信局から発信されるワンセグ無線信号のチャンネルが変更された場合、受信機が変更後のチャンネルのワンセグ無線信号を受信できる。従って、様々な状況に応じて、予め設定された１つのチャンネルのワンセグ無線信号を用いて緊急情報を伝えることができて、受信機が受信可能なチャンネルを選択する必要がなく、災害発生時等の緊急時に、緊急情報を迅速かつ確実に使用者に伝えることができる。
【００１５】
本考案の一態様に係る受信機は、
前記設定信号に基づいて、前記制御部が、前記無線部及び前記信号処理部にて前記予め設定された１つのチャンネルの無線信号をそれぞれ常に受信かつ復調する状態を解除した場合に、前記無線部にて受信され、かつ前記信号処理部にて復調されるワンセグ無線信号のチャンネルを、使用者の操作によって変更可能とする入力部をさらに備えているので、
例えば、災害発生直後かつ緊急情報の受信直後に、無線部及び信号処理部にて予め設定された１つのチャンネルの無線信号をそれぞれ常に受信かつ復調する状態を解除すれば、使用者が入力部を操作することによって、全国放送のように地方自治体の管轄区域以外の緊急情報を伝えるチャンネルのワンセグ無線信号等の複数のワンセグ無線信号を受信できるようになる。その結果、使用者が、二次災害に関連する周辺情報を取得できて、二次災害に備えることができる。よって、災害発生時等の緊急時に、二次災害に関する緊急情報もまた迅速かつ確実に使用者に伝えることができる。
【００１６】
本考案の一態様に係る受信機では、
前記無線部及び前記信号処理部が、前記予め設定された１つのチャンネルのワンセグ無線信号と同時に、別のチャンネルのワンセグ無線信号をそれぞれ受信かつ復調するように構成され、
前記設定信号に基づいて、前記制御部は、前記別のチャンネルのワンセグ無線信号に関する情報信号が前記表示部に画像として表示され、かつ前記音声出力部に音声として出力されている状態から、前記予め設定された１つのチャンネルのワンセグ無線信号に関する情報信号が前記表示部に画像として表示され、かつ前記音声出力部に音声として出力されている状態に変更するように制御可能に構成されているので、
例えば、通常時に、受信機が、通常のテレビ放送のような別のチャンネルのワンセグ無線信号に関する情報信号を画像として表示部に表示し、かつ音声として音声出力部に出力できる一方で、災害発生時等の緊急時には、受信機が、予め設定された１つのチャンネルのワンセグ無線信号に関する情報信号を画像として表示部に迅速かつ確実に表示し、かつ音声として音声出力部に迅速かつ確実に出力できる。緊急情報を迅速かつ確実に使用者に伝えることができる。
【００１７】
本考案の一態様に係る受信機では、
電力を供給可能とする外部電源に接続可能であるインターフェース部と、
内部に蓄電された電力を供給可能とする内部電源部と
をさらに備え、
前記外部電源又は前記内部電源部から電力が常に供給されるように構成され、
前記外部電源からの電力供給が停止した場合、前記内部電源部から電力が供給されるように構成されているので、
受信機に常に電力を供給することができて、緊急時に緊急動作モードを迅速かつ確実に起動することができる。よって、緊急時に緊急情報を迅速かつ確実に使用者に伝えることができる。
【００１８】
本考案の一態様に係る受信機では、
電力を供給可能とする外部電源に接続可能であるインターフェース部と、
内部に蓄電された電力を供給可能とする内部電源部と
をさらに備え、
前記外部電源又は前記内部電源部から電力が常に供給されるように構成され、
前記外部電源から供給される電力によって、前記内部電源部が充電できるように構成されているので、
常に内部電源部が蓄電された状態になり、受信機に常に電力を供給することができて、緊急時に緊急動作モードを迅速かつ確実に起動することができる。よって、緊急時に緊急情報を迅速かつ確実に使用者に伝えることができる。
【図面の簡単な説明】
【００１９】
【図１】本考案の第１実施形態に係る受信機が用いられる防災情報伝達システムを示す模式図である。
【図２】本考案の第１実施形態に係る受信機のブロック図である。
【図３】本考案の第２実施形態に係る防災無線ネットワークを示す模式図である。
【考案を実施するための形態】
【００２０】
［第１実施形態］
本考案の第１実施形態に係る受信機が用いられる防災情報伝達システムについて説明する。図１に示すように、防災情報伝達システム１では、送信局２に、テレビ放送等に用いられるＵＨＦ（Ｕｌｔｒａ  Ｈｉｇｈ  Ｆｒｅｑｕｅｎｃｙ）帯のワンセグ無線信号を送信できるように構成された送信機３が設置されており、送信機３には送信アンテナ３ａが設けられている。送信局２の一例としては、地方自治体の役所等が挙げられる。この防災情報伝達システム１には、送信機３から送信されるワンセグ無線信号を受信可能とする受信機４が用いられる。受信機４には受信アンテナ部５が設けられている。防災情報伝達システム１では、予め設定された１つのチャンネルのワンセグ無線信号Ｗが、送信機３から送信アンテナ３ａを介して受信機４に向けてブロードキャスト送信されるようになっている。また、ブロードキャスト送信されたワンセグ無線信号Ｗは、受信アンテナ部５を介して受信機４により受信可能となっている。防災情報伝達システム１に用いられるワンセグ無線信号Ｗには、受信機４を制御する複数の設定信号が含まれている。設定信号は音声信号の一部であると好ましいが、これに限定されず、設定信号は映像信号等の一部であってもよい。
【００２１】
ここで、受信機４の詳細について説明する。図２に示すように、受信機４は、受信アンテナ部５から入力されたワンセグ無線信号を受信可能とする無線部６を備えている。受信機４は、無線部６にて受信したワンセグ無線信号を復調することによって情報信号を生成可能とする信号入力部７を備えている。受信機４は、信号処理部７にて生成された情報信号に含まれる映像信号を文字、図形、静止画、及び動画（以下、「画像」という）として表示する表示部８を備えている。この表示部８は、一例として、液晶ディスプレイ、有機ＥＬディスプレイ等であるとよい。受信機４は、信号処理部７にて生成された情報信号に含まれる音声信号を音声として出力する音声出力部９を備えている。この音声出力部９は、一例として、スピーカ等であるとよい。
【００２２】
受信機４は、使用者が当該受信機４をマニュアル操作するための入力部１０を備えている。受信機４は、情報を一時的に記憶可能とする揮発性の記憶部１１を備えている。記憶部１１は、一例として、メモリ（主記憶装置）等であるとよい。受信機４は、情報を記録可能とする不揮発性の記録部１２を備えている。記録部１２は、一例として、フラッシュメモリ等であるとよい。受信機４は、記録媒体を読取り可能とする記録媒体読取部１３を備えている。記録媒体は、一例として、光ディスク、磁気ディスク、メモリーカード等であるとよく、記録媒体読取部１３は、このような記録媒体を読取り可能に構成されているとよい。受信機４は、蓄電可能な内部電源部１４を備えている。内部電源部１４は、一例として、バッテリ等であるとよい。受信機４は、外部アンテナ１５に接続可能なアンテナインターフェース部１６を備えている。なお、ワンセグ無線信号は、外部アンテナ１５を介して受信されて、外部アンテナ１５からアンテナインターフェース部１６を経由して無線部６に送られてもよい。受信機４は、外部電源１７に接続可能な電源インターフェース部１８を備えている。
【００２３】
受信機４は、無線部６、信号処理部７、表示部８、音声出力部９、入力部１０、記憶部１１、記録部１２、記録媒体読取部１３、内部電源部１４、及びアンテナインターフェース部１６の各部の状態を常に監視し、かつこれらの各部の状態に対応して当該各部を制御する制御部１９を備えている。制御部１９は、表示部８及び音声出力部９の状態を制御する状態信号を、信号処理部７、表示部８、及び音声出力部９にそれぞれ送るように構成されている。このような状態信号に基づいて、情報信号に含まれる映像信号が画像として表示部８に表示され、かつ情報信号に含まれる音声信号が音声として音声出力部９に出力されるようになっている。
【００２４】
このような受信機４には、防塵構造及び防水構造が適用されていると好ましく、受信機４が、特に災害時に発生する粉塵から保護され、かつ風雨等から保護されることとなる。
【００２５】
ここで、受信機４内における信号の送受信に関する接続について説明する。なお、図２では、このような信号を送受信するための接続を実線の矢印で示す。無線部６は、受信アンテナ部５及びアンテナインターフェース部１６から信号を受信するように受信アンテナ部５及びアンテナインターフェース部１６と接続されている。無線部６は、信号処理部７に信号を送信するように信号処理部７に接続されている。信号処理部７は、表示部８及び音声出力部９に信号を送信可能とするように表示部８及び音声出力部９に接続されている。記憶部１１は、記録部１２及び記録媒体読取部１３との間で信号を送受信可能とするように記録部１２及び記録媒体読取部１３に接続されている。制御部１９は、無線部６、信号処理部７、表示部８、音声出力部９、入力部１０、記憶部１１、記録部１２、記録媒体読取部１３、内部電源部１４、及びアンテナインターフェース部１６の各部との間で信号を送受信可能とするようにこれらの各部に接続されている。
【００２６】
受信機４にて電力を供給する接続について説明する。なお、図２では、このような電力を供給するための接続を一点鎖線の矢印で示す。内部電源部１４及び電源インターフェース部１８は、無線部６、信号処理部７、表示部８、音声出力部９、入力部１０、記憶部１１、記録部１２、記録媒体読取部１３、内部電源部１４、アンテナインターフェース部１６、及び制御部１９の各部に電力を供給可能とするようにこれらの各部に接続されている。
【００２７】
次に、無線部６の詳細について説明する。無線部６は、初期設定では、予め設定された１つのチャンネルのワンセグ無線信号Ｗのみを受信するように設定されている。この無線部６の初期設定は、記憶部１１、記録部１２、又は記録媒体読取部１３の記録媒体に保存された情報に基づいて実施されるようになっている。また、無線部６の初期設定は、通常動作では、受信機４の起動時に実施されるようになっている。
【００２８】
信号処理部７の詳細について説明する。信号処理部７は、初期設定では、予め設定された１つのチャンネルのワンセグ無線信号Ｗを復調することによって得られた情報信号を制御部１９に送るように構成されている。この信号処理部７の初期設定は、記憶部１１、記録部１２、又は記録媒体読取部１３の記録媒体に保存された情報に基づいて実施されるようになっている。また、信号処理部７の初期設定は、通常動作では、受信機４の起動時に実施されるようになっている。さらに、信号処理部７は、ワンセグ無線信号に含まれる複数の設定信号を検出可能に構成され、信号処理部７が設定信号を検出した場合、信号処理部７が、検出した設定信号を制御部１９に送るようになっている。
【００２９】
表示部８及び音声出力部９の詳細について説明する。表示部８は、初期設定では常に情報信号を画像として表示するようになっており、使用者が入力部１０を操作した場合に、記憶部１１、記録部１２、又は記録媒体読取部１３の記録媒体に保存された所定の画像を表示するようになっている。音声出力部９については、初期設定では、使用者が入力部１０を操作することによって音声出力部９の音量が調節されるようになっている。なお、表示部８及び音声出力部９は、受信機４の通常動作時には初期設定になっている。
【００３０】
内部電源部１４及び電源インターフェース部１８の詳細について説明する。受信機４には、内部電源部１４、又は電源インターフェース部１８に接続された外部電源１７から電力が常に供給されるようになっている。受信機４の電源インターフェース部１８に外部電源１７が接続された状態では、電力が常に外部電源１７から供給されるように構成されている。外部電源１７からの電力供給が停止した場合には、電力供給が外部電源１７から内部電源部１４に切換えられるようになっている。また、外部電源１７から供給される電力によって、内部電源部１４が充電されるようになっている。
【００３１】
ここで、設定信号について説明する。複数の設定信号は、第１の設定信号〜第６の設定信号を含んでいる。信号処理部７が第１の設定信号を検出した場合、制御部１９が、緊急動作モードを起動するように表示部８及び音声出力部９を制御する構成になっている。緊急動作モードでは、災害等の緊急事態が発生したことを知らせる所定の緊急表記が表示部８に表示され、かつ音声出力部９が所定の緊急音量に調節されるようになっている。一例として、表示部８の緊急表記及び音声出力部９の緊急音量は、記憶部１１、記録部１２、又は記録媒体読取部１３の記録媒体に保存されていたものであるとよい。一例として、音声出力部９の緊急音量は最大音量であるとよい。また、音声出力部９の緊急音量は、使用者が入力部１０を操作することによって調節可能であってもよい。緊急動作モードが起動した受信機４では、使用者が入力部１０を操作することによって、表示部８及び音声出力部９を初期設定に戻すことができるように構成されているとよい。
【００３２】
信号処理部７が第２の設定信号を検出した場合、制御部１９が、予め設定された１つのチャンネルのワンセグ無線信号Ｗを異なるチャンネルのワンセグ無線信号に変更するように制御する構成になっている。
【００３３】
信号処理部７が第３の設定信号を検出した場合、制御部１９が、無線部６及び信号処理部７の初期設定を解除した後に、無線部６を複数のチャンネルのワンセグ無線信号を受信可能とし、かつ信号処理部７を複数のチャンネルのワンセグ無線信号を復調することによって情報信号を生成可能にするように制御する構成になっている。この場合、使用者が入力部１０を操作することによって、無線部６により受信され、かつ信号処理部７により復調されるワンセグ無線信号の１つのチャンネルが、複数のチャンネルから選択されるようになっている。さらに、信号処理部７が第４の設定信号を検出した場合には、制御部１９が、無線部６を初期設定に戻すように制御する構成になっている。
【００３４】
信号処理部７が第５の設定信号を検出した場合、制御部１９が、表示部８にスクリーンセーバを表示するように制御する構成になっている。ここで、スクリーンセーバは、記憶部１１、記録部１２、又は記録媒体読取部１３の記録媒体に保存された画像を表示部８に表示するものとなっている。スクリーンセーバに用いられる画像は使用者によって選択可能になっているとよい。さらに、信号処理部７が第６の設定信号を検出した場合、制御部１９が、スクリーンセーバの表示を解除するように制御する構成になっている。例えば、通常時、初期設定にて予め設定された１つのチャンネルにおける放送が休止中である場合に、表示部８にスクリーンセーバを表示するように設定して、表示部８を使用者にとって煩わしくないような状態にでき、その結果、受信機４を使用者に視認可能な場所に設置することを促すことができる。その一方で、緊急時には、スクリーンセーバを解除して、表示部８に緊急情報を迅速かつ確実に表示することができる。よって、緊急時に、使用者に視認可能な場所に設置された受信機４から緊急情報を迅速かつ確実に伝えることができる。
【００３５】
以上のように本実施形態によれば、テレビ放送等に用いられるＵＨＦ（Ｕｌｔｒａ  Ｈｉｇｈ  Ｆｒｅｑｕｅｎｃｙ）帯のワンセグ無線信号によって、音声、文字、図形、及び静止画に加えて動画を伝えることができるので、受信機４に伝えられる緊急情報の情報量を増加させることができる。また、予め設定された１つのチャンネルのワンセグ無線信号Ｗを常に受信するように設定されているので、受信機４にて受信するチャンネルを選択する必要がなく、災害発生時等の緊急時に、緊急情報を迅速かつ確実に使用者に伝えることができる。さらに、ワンセグ無線信号を受信するために、ワンセグテレビ受像機等で用いられる安価なハードウェア及びソフトウェアを用いればよいので、受信機４の製造コストを抑えることができる。
【００３６】
本実施形態によれば、第２の設定信号に基づいて、制御部１９が、予め設定された１つのチャンネルのワンセグ無線信号Ｗを異なる１つのチャンネルのワンセグ無線信号に変更するように制御可能となっているので、例えば、地方自治体等の送信局から発信されるワンセグ無線信号Ｗのチャンネルが変更された場合、受信機４が変更後のチャンネルのワンセグ無線信号を受信できる。従って、様々な状況に応じて、予め設定された１つのチャンネルのワンセグ無線信号Ｗを用いて緊急情報を伝えることができて、受信機４が受信可能なチャンネルを選択する必要がなく、災害発生時等の緊急時に、緊急情報を迅速かつ確実に使用者に伝えることができる。
【００３７】
本実施形態によれば、第３の設定信号に基づいて、制御部１９が、無線部６及び信号処理部７にて予め設定された１つのチャンネルの無線信号Ｗをそれぞれ常に受信かつ復調する状態を解除した場合に、無線部６にて受信され、かつ信号処理部７にて復調されるワンセグ無線信号のチャンネルを、使用者の操作によって変更可能とする入力部１０とをさらに備えているので、例えば、災害発生直後かつ緊急情報の受信直後に、無線部６及び信号処理部７にて予め設定された１つのチャンネルの無線信号Ｗをそれぞれ常に受信かつ復調する状態を解除すれば、使用者が入力部を操作することによって、全国放送のように地方自治体の管轄区域以外の緊急情報を伝えるチャンネルのワンセグ無線信号等の複数のワンセグ無線信号を受信できるようになる。その結果、使用者が、二次災害に関連する周辺情報を取得できて、二次災害に備えることができる。よって、災害発生時等の緊急時に、二次災害に関する緊急情報もまた迅速かつ確実に使用者に伝えることができる。
【００３８】
本実施形態によれば、内部電源部１４又は外部電源１７から電力が常に供給されるように構成され、外部電源１７からの電力供給が停止した場合、内部電源部１４から電力が供給されるように構成されている。そのため、受信機４に常に電力を供給することができて、緊急時に緊急動作モードを迅速かつ確実に起動することができる。よって、緊急時に緊急情報を迅速かつ確実に使用者に伝えることができる。
【００３９】
本実施形態によれば、内部電源部１４又は外部電源１７から電力が常に供給されるように構成され、外部電源１７から供給される電力によって、内部電源部１４が充電できるように構成されている。そのため、常に内部電源部１４が蓄電された状態になり、受信機４に常に電力を供給することができて、緊急時に緊急動作モードを迅速かつ確実に起動することができる。よって、緊急時に緊急情報を迅速かつ確実に使用者に伝えることができる。
【００４０】
［第２実施形態］
本考案の第２実施形態に係る防災情報伝達ネットワークについて以下に説明する。第３実施形態は、基本的には、第１実施形態と同様になっている。第１実施形態と同様な要素は、第１実施形態と同様の符号および名称を用いて説明する。ここでは、第１実施形態と異なる構成について説明する。
【００４１】
図３に示すように、本実施形態に係る防災情報伝達ネットワーク２１では、第１実施形態における防災情報伝達システム１及び受信機４を用いる。防災情報伝達ネットワーク２１は、複数の防災情報伝達システム１を含んでいる。各防災情報伝達システム１の送信局２に設置された送信機３はネットワークノードを構成しており、送信機３同士は、無線、及び光ファイバ等の有線によって接続されている。また、防災無線ネットワーク２１には、センター送信局２２が設けられている。センター送信局２２には、無線、及び光ファイバ等の有線によって各送信機３に接続されるセンター送信機２３が設置されている。センター送信機２３もまたネットワークノードを構成している。さらに、センター送信局２２は、防災情報等の緊急情報をワンセグ信号にエンコードするエンコーダ２４を有している。
【００４２】
本実施形態に係る防災情報伝達ネットワーク２１にて、予め設定された１つのチャンネルのワンセグ無線信号Ｗを送信する方法について説明する。防災情報伝達ネットワーク２１では、緊急情報をエンコーダ２４によって、予め設定された１つのワンセグ信号Ｖにエンコードする。エンコードされたワンセグ信号Ｖを各防災情報伝達システム１の送信局２の送信機３に送る。送信機３に送られたワンセグ信号Ｖを、予め設定された１つのワンセグ無線信号Ｗとして、送信機３から受信機４に向けてブロードキャスト送信する。
【００４３】
本実施形態によれば、第１実施形態と同様の効果が得られる。
【００４４】
［第３実施形態］
本考案の第３実施形態に係る受信機又は防災情報伝達ネットワークについて以下に説明する。第３実施形態は、基本的には、第１実施形態又は第２実施形態と同様になっている。第１実施形態又は第２実施形態と同様な要素は、第１実施形態又は第２実施形態と同様の符号および名称を用いて説明する。ここでは、第１実施形態又は第２実施形態と異なる構成について説明する。
【００４５】
本実施形態では、無線部６が、複数のチャンネルのワンセグ無線信号を同時に受信可能に構成されている。信号処理部７は、複数のチャンネルのワンセグ無線信号を同時に復調することによって複数の情報信号を同時に生成可能に構成されている。複数のチャンネルのワンセグ無線信号は、予め設定された１つのチャンネルのワンセグ無線信号Ｗを含んでおり、無線部６は、予め設定された１つのチャンネルのワンセグ無線信号Ｗを常に受信するように構成され、信号処理部は、無線部６にて受信したワンセグ無線信号Ｗを復調することによって情報信号を常に生成するように構成されている。
【００４６】
このような受信機４において、使用者が、入力部１０を操作することによって複数の情報信号の１つを選択し、選択された情報信号の１つが、画像として表示部８に表示され、かつ音声として音声出力部９に出力されるようになっている。そのため、受信機は、予め設定された１つのチャンネルのワンセグ無線信号Ｗに関する情報信号を表示部８に画像として表示し、かつ音声出力部９に音声として出力している状態（以下、「初期設定チャンネル出力状態」という）と、予め設定された１つのチャンネル以外のチャンネルのワンセグ無線信号に関する情報信号を表示部８に画像として表示し、かつ音声出力部９に音声として出力している状態（以下、「別チャンネル出力状態」という）とを変更可能に構成されている。
【００４７】
また、本実施形態においては、設定信号は第７の設定信号をさらに含んでいる。信号処理部７が、別チャンネル出力状態にて第７の設定信号を検出した場合、制御部１９が、別チャンネル出力状態から初期設定チャンネル出力状態に変更するように制御可能に構成されている。
【００４８】
以上、本実施形態によれば、第１実施形態又は第２実施形態と同様の効果が得られる。
【００４９】
さらに、本実施形態によれば、第７の設定信号に基づいて、制御部１９が、別チャンネル出力状態から初期設定チャンネル出力状態に変更するように制御可能に構成されているので、例えば、通常時に、受信機４が、通常のテレビ放送のような別のチャンネルのワンセグ無線信号に関する情報信号を画像として表示部８に表示し、かつ音声として音声出力部９に出力できる一方で、災害発生時等の緊急時には、受信機４が、予め設定された１つのチャンネルのワンセグ無線信号Ｗに関する情報信号を画像として表示部８に迅速かつ確実に表示し、かつ音声として音声出力部９に迅速かつ確実に出力できる。緊急情報を迅速かつ確実に使用者に伝えることができる。
【００５０】
ここまで本考案の実施形態について述べたが、本考案は既述の実施形態に限定されるものではなく、本考案の技術的思想に基づいて各種の変形及び変更が可能である。
【符号の説明】
【００５１】
１  防災情報伝達システム
４  受信機
６  無線部
７  信号処理部
８  表示部
９  音声出力部
１０  入力部
１４  内部電源部
１７  外部電源
１９  制御部
Ｗ  ワンセグ無線信号
Ｖ  ワンセグ信号
【図１】
0003181364.tif 000003
【図２】
0003181364.tif 000004
【図３】
0003181364.tif 000005